(57)【要約】【課題】電話機およびＴＶ放送受信装置がネットワークを通じて接続された環境において、電話機の着信音の鳴音によって視聴者の注意が電話機に移る直前の時点からのＴＶ放送番組を視聴することのできるネットワークシステムを提供する。【解決手段】電話機３０は、着信を検知したとき着信音の鳴音を保留状態にセットするとともに、着信の検知の通知をＩＰネットワーク４０を通じてＴＶ放送受信装置１０に送信する。ＴＶ放送受信装置は、ＴＶ放送番組の視聴中に電話機からの着信の検知の通知を受けたとき、視聴中のＴＶ放送番組の録画を開始するための処理を行い、視聴中のＴＶ放送番組の録画が開始された後、着信音の鳴音許可の通知をＩＰネットワークを通じて電話機に送信する。電話機は鳴音許可の通知を受けて着信音の鳴音の保留状態を解除する。【選択図】図２
2007274392.tif 000002
【特許請求の範囲】
【請求項１】
ネットワークを通じて接続可能な電話機とＴＶ放送受信装置とを有するネットワークシステムであって、
前記電話機は、
着信を検知して、着信音の鳴音を保留状態にセットするとともに、前記着信の検知の通知を前記ネットワークを通じて前記ＴＶ放送受信装置に送信し、前記ＴＶ放送受信装置からの解除通知を受けて前記着信音の鳴音の保留状態を解除する手段を有し、
前記ＴＶ放送受信装置は、
ＴＶ放送番組を受信するＴＶ放送受信部と、
前記ＴＶ放送受信部により受信されたＴＶ放送番組の視聴中に、前記電話機からの前記着信の検知の通知を受けたとき、前記視聴中のＴＶ放送番組の録画を開始するための処理を行い、録画開始後に前記着信音の鳴音許可の通知を前記ネットワークを通じて前記電話機に送信するように制御を行う制御部とを具備することを特徴とするネットワークシステム。
【請求項２】
前記ＴＶ放送受信装置は、
前記ＴＶ放送番組を録画可能な記録部をさらに有し、
前記制御部は、前記記録部に対して前記視聴中のＴＶ放送番組の録画を行うように制御することを特徴とする請求項１に記載のネットワークシステム。
【請求項３】
前記ＴＶ放送受信装置の前記制御部は、前記ネットワークを介して接続された録画装置に対して、前記視聴中のＴＶ放送番組の録画を行うように制御を行うことを特徴とする請求項１に記載のネットワークシステム。
【請求項４】
前記ＴＶ放送受信装置は、表示部をさらに有し、
前記制御部は、前記電話機からの前記着信の検知の通知を受けたとき、この旨を前記表示部に表示するように制御を行うことを特徴とする請求項１に記載のネットワークシステム。
【請求項５】
ネットワークを通じて接続可能な電話機とＴＶ放送受信装置とを有するネットワークシステムおいて、
前記電話機が、着信を検知したとき、着信音の鳴音を保留状態にセットするとともに、前記着信の検知の通知を前記ネットワークを通じて前記ＴＶ放送受信装置に送信するステップと、
前記ＴＶ放送受信装置が、ＴＶ放送番組の視聴中に、前記電話機からの前記着信の検知の通知を受けたとき、前記視聴中のＴＶ放送番組の録画を開始するための処理を行うステップと、
前記視聴中のＴＶ放送番組の録画が開始された後、前記ＴＶ放送受信装置が前記着信音の鳴音許可の通知を前記ネットワークを通じて前記電話機に送信するステップと、
前記電話機が、前記鳴音許可の通知を受けて前記着信音の鳴音の保留状態を解除するステップと
を具備することを特徴とする電話機着信処理方法。
【請求項６】
着信を検知して、着信音の鳴音を保留状態にセットする機能を有する電話機とネットワークを通じて接続可能なＴＶ放送受信装置であって、
ＴＶ放送番組を受信するＴＶ放送受信部と、
前記ＴＶ放送受信部により受信されたＴＶ放送番組の視聴中に、前記電話機からの前記着信の検知の通知を受けたとき、前記視聴中のＴＶ放送番組の録画を開始するための処理を行い、録画開始後に前記着信音の鳴音許可の通知を前記ネットワークを通じて前記電話機に送信するように制御を行う制御部と
を具備することを特徴とするＴＶ放送受信装置。
【発明の詳細な説明】
【技術分野】
【０００１】
本発明は、電話機とテレビ放送信号を受信するＴＶ放送受信装置とを含むネットワークシステムに係り、特に電話機への着信時に着信音を鳴音させるタイミングを、ＴＶ放送受信装置の側にて管理する機能をＴＶ放送受信装置に備えたネットワークシステム、電話着信処理方法、ＴＶ放送受信装置に関する。
【背景技術】
【０００２】
テレビ放送番組をリアルタイムに視聴中に、電話機への着信が発生して着信音が鳴ったとき、視聴中のユーザは電話に出るために番組の視聴を一旦中断することになる。あるいは、番組の録画のための操作を行ってその番組の録画を開始してから、電話に出るといった選択も可能である。しかし、この場合には、番組録画操作を行っている間には画面から視線が外れるため、その間の番組の視聴に抜けが生じしてしまう。
【０００３】
そこで、電話機の着信を検知したときに、視聴中の番組の録画を開始するように制御する技術は、テレビ機能付の電話機において公知である（例えば特許文献１などを参照）。
【特許文献１】特開２００５−２２３７７８号公報（段落０００４、００１５、００２５）
【発明の開示】
【発明が解決しようとする課題】
【０００４】
上記の公知技術は、着信と同時に着信音を出力するとともに視聴中の番組の録画を開始するというものである。したがって、電話機と録画機能とが一体に組み合わされた装置であれば、着信の検知と録画開始とのタイムラグは非常に短い。しかしながら、電話機と録画装置とがネットワークを介して接続された環境では、電話機での着信の検知と録画装置での録画開始とのタイムラグは、録画機能付のメッセージの通信のための時間によって、視聴者にとって無視できない時間長におよぶおそれがある。
【０００５】
本発明は、かかる事情を鑑み、電話機およびＴＶ放送受信装置がネットワークを通じて接続された環境において、ＴＶ放送番組の視聴中に電話機への着信が発生した場合に、電話への応対が済んだ後、電話機の着信音の鳴音によって視聴者の注意が電話機に移る直前の時点からのＴＶ放送番組を視聴することのできるネットワークシステム、電話着信処理方法、ＴＶ放送受信装置を提供することを目的とするものである。
【課題を解決するための手段】
【０００６】
上記の目的を達成するために、本発明のネットワークシステムは、ネットワークを通じて接続可能な電話機とＴＶ放送受信装置とを有するネットワークシステムであって、電話機は、着信を検知して、着信音の鳴音を保留状態にセットするとともに、着信の検知の通知をネットワークを通じてＴＶ放送受信装置に送信し、ＴＶ放送受信装置からの解除通知を受けて着信音の鳴音の保留状態を解除する手段を有し、ＴＶ放送受信装置は、ＴＶ放送番組を受信するＴＶ放送受信部と、ＴＶ放送受信部により受信されたＴＶ放送番組の視聴中に、電話機からの着信の検知の通知を受けたとき、視聴中のＴＶ放送番組の録画を開始するための処理を行い、録画開始後に着信音の鳴音許可の通知をネットワークを通じて電話機に送信するように制御を行う制御部とを具備することを特徴とする。
【０００７】
本発明において、ＴＶ放送受信装置は、ＴＶ放送番組を録画可能な記録部をさらに有し、制御部は、記録部に対して、視聴中のＴＶ放送番組の録画を行うように制御を行うものであってもよい。
【０００８】
また、本発明において、ＴＶ放送受信装置の制御部は、ネットワークを介して接続された録画装置に対して、視聴中のＴＶ放送番組の録画を行うように制御を行うものであってもよい。
【０００９】
さらに、ＴＶ放送受信装置は、表示部をさらに有し、制御部は、電話機からの着信の検知の通知を受けたとき、この旨を表示部に表示するように制御を行うものであってもよい。
【発明の効果】
【００１０】
本発明によれば、電話機およびＴＶ放送受信装置がネットワークを通じて接続された環境において、ＴＶ放送番組の視聴中に電話機への着信が発生した場合に、電話への応対が済んだ後、電話機の着信音の鳴音によって視聴者の注意が電話機に移る直前の時点からのＴＶ放送番組を視聴することができる。
【発明を実施するための最良の形態】
【００１１】
以下、図面を参照して、本発明の実施の形態を説明する。
【００１２】
図１は本発明の第１の実施形態にかかるネットワークシステムの構成を示すブロック図である。
【００１３】
同図に示すように、このネットワークシステム１００は、録画機能付のＴＶ放送受信装置１０と、電話機３０と、これらの機器を接続するＩＰネットワーク４０とで構成される。
【００１４】
録画機能付のＴＶ放送受信装置１０は、ＴＶ放送受信部１１、表示出力部１２、音響出力部１３、表示部１４、スピーカ１５、ネットワーク接続部１６、操作入力部１７、ＲＯＭ１８、ＲＡＭ１９、ＣＰＵ２０、記録部２１などで構成される。
【００１５】
ＴＶ放送受信部１１は、たとえば、地上波ディジタル放送などのＴＶ放送波を、操作入力部１７を用いてユーザより入力された選局情報をもとにアンテナ２２を介して受信し、復調／復号して、映像データを表示出力部１２に出力し、音響データを音響出力部１３に出力する。
【００１６】
表示出力部１２は、ＴＶ放送受信部１１より入力された映像データを表示部１４にて表示可能な形式の映像信号に変換して表示部１４に出力する。表示部１４は映像を視覚的に出力するデバイスである。音響出力部１３は、ＴＶ放送受信部１１より入力された音響データをもとにスピーカ１５を駆動するための信号を生成する。
【００１７】
ネットワーク接続部１６は、ＩＰネットワーク４０を通じて他の装置との間での通信を処理するデバイスである。
【００１８】
操作入力部１７は、ユーザからの各種の指令やデータの入力を処理してＣＰＵ２０へ送出するデバイスであり、具体的には、本体に直接組み込まれたキー入力用の操作パネルや、本体側に組み込まれた赤外線通信部（図示せず）を通じて無線通信による操作入力が可能なリモートコントローラなどである。
【００１９】
記録部２１は、ＴＶ放送番組の番組データを記録可能なデバイスであり、具体的には、ＨＤＤやＤＶＤなどの大容量の記憶媒体に対して記録および再生を行うことが可能なディスクドライブなどである。
【００２０】
ＲＯＭ１８は、ＣＰＵ２０にて実行されるプログラムや各種の固定データが格納されたデバイスである。ＲＡＭ１９は、ＣＰＵ２０のメインメモリとして用いられるとともに、ＴＶ放送受信部１１にて受信され復調／復号されたＴＶ放送番組の番組データの一時的な蓄積領域などとして用いられる。ＣＰＵ２０は、上記の各部の制御を統括的に行うデバイスである。
【００２１】
上記のプログラムには、ＩＰネットワーク４０を通じて電話機３０より着信検知のメッセージを受けたことを契機に呼び出されるサブルーチンとして、電話着信音の鳴音と録画開始のタイミング制御のための処理手順が含まれている。
【００２２】
次に、電話機３０の構成を説明する。図１に示すように、電話機３０は、通信処理部３１、操作入力部３２、スピーカ３３、マイク３４、ネットワーク接続部３５、ＲＯＭ３６、ＲＡＭ３７、ＣＰＵ３８などで構成される。
【００２３】
通信処理部３１は、たとえば、有線あるいは無線による音声通話のための通信の制御および音声信号の復調／変調、復号／符号化などの処理を行うデバイスである。
【００２４】
操作入力部３２は、ユーザからの各種の指令やデータの入力を処理してＣＰＵ３８へ送出するデバイスである。
【００２５】
スピーカ３３は、通話相手の音声や着信時の呼出音（着信音）などを鳴音するデバイスである。マイク３４は、ユーザの発声音を電気信号に変換する。
【００２６】
ネットワーク接続部３５は、ＩＰネットワーク４０を通じて他の装置との間での通信を処理するデバイスである。
【００２７】
ＲＯＭ３６は、ＣＰＵ３８にて実行されるプログラムや各種の固定データが格納されたデバイスである。ＲＡＭ３７は、ＣＰＵ３８のメインメモリとして用いられる。ＣＰＵ３８は、上記の各部の制御を統括的に行うデバイスである。
【００２８】
上記のプログラムには、着信時に着信検知のメッセージをＩＰネットワーク４０を通じて上記の録画機能付のＴＶ放送受信装置１０へ送信し、ＴＶ放送受信装置１０からの着信音の鳴音を許可するメッセージを受けるまで着信音の鳴音を保留する処理手順が組み込まれている。
【００２９】
次に、この実施形態のネットワークシステム１００において、電話機３０への着信が発生した場合の動作を説明する。
【００３０】
図２はこの電話機３０への着信時の電話機３０及びＴＶ放送受信装置１０の処理手順を示すシーケンス図である。
【００３１】
ＴＶ放送受信装置１０においてはユーザによって選局されたチャンネルのＴＶ放送番組の視聴が行われているものとする。すなわち、ＴＶ放送受信部１１にて、アンテナ２２よりＴＶ放送波が受信され、復調／復号されて映像データは表示出力部１２に出力され、音響データは音響出力部１３に出力されることによって、表示部１４にＴＶ放送番組の映像が表示され、その音声がスピーカ１５より出力されている。
【００３２】
ここで、電話機３０に対する着信が発生した場合、たとえば電話機３０の通信処理部３１にて着信が検知された場合には、通信処理部３１からＣＰＵ３８に着信検知が通知される。ＣＰＵ３８は、この着信検知の通知を受けると（ステップＳ１０１）、ＲＯＭ３６に格納されたプログラムに従って、まず、スピーカ３３からの着信音の鳴音を保留状態にセットする（ステップＳ１０２）。続いて、ＣＰＵ３８は、着信検知のメッセージを生成し、ネットワーク接続部３５を制御して、この着信検知のメッセージをＩＰネットワーク４０を通じてＴＶ放送受信装置１０へ送信する（ステップＳ１０３）。
【００３３】
ＴＶ放送受信装置１０では、ＩＰネットワーク４０を通じて電話機３０より着信検知のメッセージが受信される。ＴＶ放送受信装置１０のＣＰＵ２０は、この着信検知のメッセージ受信を検知すると、ＲＯＭ１８に格納されているプログラムに従って、現在視聴中のＴＶ放送番組の番組データの記録部２１への録画を開始するための処理を行う（ステップＳ１０４）。この後、録画が開始された場合、または録画が開始されなくても録画開始の指示の発生から一定時間が経過した場合、ＣＰＵ２０は、電話機３０に対する着信音の鳴音許可メッセージを生成し、ネットワーク接続部１６を制御して、この着信音の鳴音許可メッセージをＩＰネットワーク４０を通じて電話機３０に送信する（ステップＳ１０５）。すなわち、記録部２１に録画のための空き領域が不足している場合、録画先として指定されていた記憶媒体がセットされてない場合、他の目的で記録部２１が使用されていることによって使用不可の場合など、録画が現在不可の場合には録画が実際には開始されない。このような場合にそなえ、録画の開始を指示してから一定時間が経過しても録画開始のステータスが記録部２１から応答されない場合にも、ＣＰＵ２０は着信音の鳴音許可メッセージをＩＰネットワーク４０を通じて電話機３０に送信することとしている。
【００３４】
電話機３０のＣＰＵ２０は、ＴＶ放送受信装置１０からの着信音の鳴音許可メッセージを受信すると、スピーカ３３による着信音の鳴音の保留状態を解除する（ステップＳ１０６）。これにより電話機３０のスピーカ３３より着信音が鳴る（ステップＳ１０７）。
【００３５】
なお、ＴＶ放送受信装置１０のＣＰＵ２０は、着信音の鳴音許可メッセージを電話機３０に送信した後、着信の発生を表示部１４に表示して、放送番組を視聴中のユーザに視覚的に着信検知を報知するようにしてもよい。これにより、ＴＶ放送番組を視聴中のユーザに対して、より確実に電話機３０の着信発生を知らせることができる。
【００３６】
以上説明したように本実施形態によれば、ＴＶ放送番組の視聴中に電話機３０に着信が発生した場合には、視聴中のＴＶ放送番組の録画が開始されてから電話機３０の着信音を鳴音させることによって、電話への応対が済んでから、電話機３０の着信音の鳴音によって視聴者の注意が電話機３０に移る直前の時点からのＴＶ放送番組を視聴することができる。
【００３７】
次に、本発明の第２の実施形態を説明する。
【００３８】
図３は第２の実施形態にかかるネットワークシステムの構成を示すブロック図である。
【００３９】
同図に示すように、このネットワークシステム２００は、ＴＶ放送受信装置１０と、電話機３０と、録画装置５０と、これらの機器を接続するＩＰネットワーク４０とで構成される。
【００４０】
本実施形態のネットワークシステムにおけるＴＶ放送受信装置１０ａは、記録部２１などの録画機能を持たず、ＩＰネットワーク４０を通じて接続された録画装置５０に録画依頼のメッセージを送る。ＴＶ放送受信装置１０ａのその他の部分の構成は第１の実施形態のＴＶ放送受信装置１０と同じである。電話機３０の構成は第１の実施形態と同じである。
【００４１】
録画装置５０は、ＴＶ放送受信部５１、ネットワーク接続部５２、操作入力部５３、ＲＯＭ５４、ＲＡＭ５５、ＣＰＵ５６、記録部５７、映像信号出力部５８、音響信号出力部５９などで構成される。
【００４２】
ＴＶ放送受信部５１は、たとえば、地上波ディジタル放送などのＴＶ放送波を、操作入力部５３を用いてユーザより入力された選局情報、およびＴＶ放送受信装置１０ａからの録画依頼のメッセージに含まれる選局情報をもとにアンテナ２３を介して受信し、復調／復号して、記録部５７に出力する。
【００４３】
ネットワーク接続部５２は、ＩＰネットワーク４０を通じて他の装置との間での通信を処理するデバイスである。
【００４４】
操作入力部５３は、ユーザからの各種の指令やデータの入力を処理してＣＰＵ５６へ送出するデバイスであり、具体的には、本体に直接組み込まれたキー入力用の操作パネルや、本体側に組み込まれた赤外線通信部（図示せず）を通じて無線通信による操作入力が可能なリモートコントローラなどである。
【００４５】
記録部５７は、ＴＶ放送番組の番組データを記録可能なデバイスであり、具体的には、ＨＤＤやＤＶＤなどの大容量の記憶媒体に対して読み書きを行うことが可能なディスクドライブなどである。
【００４６】
ＲＯＭ５４は、ＣＰＵ５６にて実行されるプログラムや各種の固定データが格納されたデバイスである。ＲＡＭ５５は、ＣＰＵ５６のメインメモリとして用いられるとともに、ＴＶ放送受信部５１にて受信され復調／復号されたＴＶ放送番組のデータの一時的な蓄積領域などとして用いられる。ＣＰＵ５６は、上記の各部の制御を統括的に行うデバイスである。
【００４７】
映像信号出力部５８は、記録部５７から読み出された映像データをデコードして外部の表示装置に出力する。音響信号出力部５９は記録部５７から読み出された音響データをデコードして外部のスピーカに出力する。
【００４８】
次に、この実施形態のネットワークシステム２００において、電話機３０への着信が発生した場合の動作を説明する。
【００４９】
図４はこの電話機３０への着信時の電話機３０、ＴＶ放送受信装置１０ａ、及び録画装置５０の処理手順を示すシーケンス図である。
【００５０】
ＴＶ放送受信装置１０ａにおいてはユーザによって選局されたチャンネルのＴＶ放送番組の視聴が行われているものとする。すなわち、ＴＶ放送受信部１１にてＴＶ放送波が受信され、復調／復号されて映像データは表示出力部１２に出力され、音響データは音響出力部１３に出力されることによって、表示部１４にＴＶ放送番組の映像が表示され、その音声がスピーカ１５より出力されている。
【００５１】
ここで、電話機３０に対する着信が発生した場合、たとえば電話機３０の通信処理部３１にて着信が検知された場合には、通信処理部３１からＣＰＵ３８に着信検知が通知される。ＣＰＵ３８は、この着信検知の通知を受けると（ステップＳ２０１）、ＲＯＭ３６に格納されたプログラムに従って、まず、スピーカ３３からの着信音の鳴音を保留状態にセットする（ステップＳ２０２）。続いて、ＣＰＵ３８は、着信検知のメッセージを生成し、ネットワーク接続部３５を制御して、このメッセージをＩＰネットワーク４０を通じてＴＶ放送受信装置１０ａへ送信する（ステップＳ２０３）。
【００５２】
ＴＶ放送受信装置１０ａでは、ＩＰネットワーク４０を通じて電話機３０より着信検知のメッセージが受信される。ＴＶ放送受信装置１０ａのＣＰＵ２０は、この着信検知のメッセージ受信を検知すると、ＲＯＭ１８に格納されているプログラムに従って、録画を開始するための処理として、現在視聴中の放送番組に関する録画依頼のメッセージをＩＰネットワーク４０を通じて録画装置５０に送信する処理を行う（ステップＳ２０４）。
【００５３】
録画装置５０のＣＰＵ５６は、ＩＰネットワーク４０を通じてＴＶ放送受信装置１０ａより録画依頼のメッセージを受けると、記録部５７への録画を開始する（ステップＳ２０５）。
【００５４】
この後、ＴＶ放送受信装置１０ａは、録画装置５０からの録画開始のメッセージを受けた場合（ステップＳ２０６）、または録画装置５０からの録画開始のメッセージが応答されなくても録画依頼のメッセージ送信から一定時間が経過した場合、ＣＰＵ２０は、電話機３０に対する着信音の鳴音許可メッセージを生成し、ネットワーク接続部１６を制御して、この着信音の鳴音許可メッセージをＩＰネットワーク４０を通じて電話機３０に送信する（ステップＳ２０７）。すなわち、録画装置５０の記録部５７に録画のための空き領域が不足している場合、録画先として指定されていた記憶媒体がセットされてない場合、他の目的で記録部５７が使用されていることによって使用不可の場合など、録画が現在不可の場合には録画が実際には開始されない。このような場合にそなえ、録画依頼のメッセージ送信から一定時間が経過しても、録画装置５０からの録画開始のメッセージの応答がなくても、ＣＰＵ２０は着信音の鳴音許可メッセージをＩＰネットワーク４０を通じて電話機３０に送信することとしている。
【００５５】
電話機３０のＣＰＵ２０は、ＴＶ放送受信装置１０からの着信音の鳴音許可メッセージを受信すると、スピーカ３３による着信音の鳴音の保留状態を解除する（ステップＳ２０８）。これにより電話機３０のスピーカ３３より着信音が鳴る（ステップＳ２０９）。
【００５６】
また、本実施形態においても、ＴＶ放送受信装置１０ａのＣＰＵ２０は、着信音の鳴音許可メッセージを電話機３０に送信した後、電話機３０の着信検知を表示部１４に表示して、放送番組を視聴中のユーザに視覚的に着信検知を報知するようにしてもよい。
【００５７】
以上説明したように本実施形態によれば、ＴＶ放送番組の視聴中に電話機３０に着信が発生した場合には、視聴中のＴＶ放送番組の録画装置５０での録画が開始されてから電話機３０の着信音を鳴音させることによって、電話への応対が済んでから、電話機３０の着信音の鳴音によって視聴者の注意が電話機３０に移る直前の時点からのＴＶ放送番組を視聴することができる。
【００５８】
次に、本発明の第３の実施形態を説明する。
【００５９】
図５は第３の実施形態にかかるネットワークシステムの構成を示すブロック図である。
【００６０】
同図に示すように、このネットワークシステム３００は、録画機能付のＴＶ放送受信装置１０と、インターホン６０と、これらの機器を接続するＩＰネットワーク４０とで構成される。
【００６１】
録画機能付のＴＶ放送受信装置１０の構成は第１の実施形態と同じである。
【００６２】
インターホン６０は、呼出釦操作検知部６１、スピーカ６２、ネットワーク接続部６３、ＲＯＭ６４、ＲＡＭ６５、ＣＰＵ６６などで構成される。
【００６３】
呼出釦操作検知部６１は、呼出釦６７が押下されたことを検知して検知信号をＣＰＵ６６に出力する。スピーカ６２は、呼出釦６７が押下されたことに対応して呼出音を鳴音するデバイスである。ネットワーク接続部６３は、ＩＰネットワーク４０を通じて他の装置との間での通信を処理するデバイスである。ＲＯＭ６４は、ＣＰＵ６６にて実行されるプログラムや各種の固定データが格納されたデバイスである。ＲＡＭ６５は、ＣＰＵ６６のメインメモリとして用いられる。ＣＰＵ６６は、上記の各部の制御を統括的に行うデバイスである。
【００６４】
次に、この実施形態のネットワークシステム３００において、インターホン６０の呼出釦６７が押下された場合の動作を説明する。
【００６５】
図６はこのインターホン６０の呼出釦６７の押下時のインターホン６０及びＴＶ放送受信装置１０の処理手順を示すシーケンス図である。
【００６６】
ＴＶ放送受信装置１０においてはユーザによって選局されたチャンネルのＴＶ放送番組の視聴が行われているものとする。ここで、インターホン６０の呼出釦６７が押下された場合、呼出釦操作検知部６１によってこれが検知され、その検知信号がＣＰＵ６６に送られる。ＣＰＵ６６は、この検知信号を受けると（ステップＳ３０１）、ＲＯＭ６４に格納されたプログラムに従って、まず、スピーカ６２からの呼出音の鳴音を保留状態にセットする（ステップＳ３０２）。続いて、ＣＰＵ２０は、呼出釦操作発生のメッセージを生成し、ネットワーク接続部６３を制御して、この呼出釦操作発生のメッセージをＩＰネットワーク４０を通じてＴＶ放送受信装置１０へ送信する（ステップＳ３０３）。
【００６７】
ＴＶ放送受信装置１０では、ＩＰネットワーク４０を通じてインターホン６０より呼出釦操作発生のメッセージが受信される。ＴＶ放送受信装置１０のＣＰＵ２０は、この呼出釦操作発生のメッセージ受信を検知すると、ＲＯＭ１８に格納されているプログラムに従って、現在視聴中のＴＶ放送番組の番組データの記録部２１への録画を行うための処理を開始する（ステップＳ３０４）。この後、ＣＰＵ２０は、インターホン６０に対する呼出音の鳴音許可メッセージを生成し、ネットワーク接続部１６を制御して、この呼出音の鳴音許可メッセージをＩＰネットワーク４０を通じてインターホン６０に送信する（ステップＳ３０５）。
【００６８】
なお、ＴＶ放送受信装置１０は、録画のための処理を開始した後、実際に録画が開始されたか否かにかかわらず、呼出音の鳴音許可メッセージをＩＰネットワーク４０を通じてインターホン６０に送信することとする。すなわち、記録部２１に録画のための空き領域が不足している場合、録画先として着脱自在な記憶媒体が指定されているにもかかわらず記憶媒体がセットされてない場合、他の目的で記録部２１が使用されていることによって使用不可の場合など、録画が現在不可の場合には、録画は実際には開始されることはないが、この場合にも、インターホン６０の呼出音の鳴音許可メッセージをＩＰネットワーク４０を通じてインターホン６０に送信する。また、記録部２１において録画の指示を受けてから実際に録画が開始されるまでの遅延時間を考慮して、インターホン６０の呼出音の鳴音許可メッセージの送信タイミングを上記の遅延時間に相当する設定時間分遅らせて送信するようにしてもよい。
【００６９】
インターホン６０のＣＰＵ６６は、ＴＶ放送受信装置１０からの呼出音の鳴音許可メッセージを受信すると、スピーカ６２による呼出音の鳴音の保留状態を解除する（ステップＳ３０６）。これによりインターホン６０のスピーカ６２より呼出音が鳴る（ステップＳ３０７）。
【００７０】
なお、ＴＶ放送受信装置１０のＣＰＵ２０は、呼出音の鳴音許可メッセージをインターホン６０に送信した後、インターホン６０の呼出発生を表示部１４に表示して、放送番組を視聴中のユーザに視覚的にインターホン６０の呼出発生を報知するようにしてもよい。これにより、ＴＶ放送番組を視聴中のユーザに対して、より確実にインターホン６０の呼出発生を知らせることができる。
【００７１】
以上説明したように本実施形態によれば、ＴＶ放送番組の視聴中にインターホン６０の呼出が発生した場合には、視聴中のＴＶ放送番組の録画が開始されてからインターホン６０の呼出音を鳴音させることによって、来客への応対が済んでから、インターホン６０の呼出音を鳴音によって視聴者の注意がインターホン６０に移る直前の時点からのＴＶ放送番組を視聴することができる。
【００７２】
また、本発明は、ＴＶ放送受信装置１０とＩＰネットワーク４０を通じて接続された各種の家電機器のアラーム音の鳴音の発生にも応用できる。また、ＴＶ放送受信装置１０は、ＴＶ放送受信を受信する機能、および受信したＴＶ放送番組のデータを録画する機能を備えたＰＣであってもよい。
【００７３】
なお、本発明は、上記の実施形態にのみ限定されるものではなく、本発明の要旨を逸脱しない範囲内において種々変更を加え得ることは勿論である。
【図面の簡単な説明】
【００７４】
【図１】本発明の第１の実施形態にかかるネットワークシステムの構成を示すブロック図である。
【図２】図１のネットワークシステムにおける電話機への着信時の処理手順を示すシーケンス図である。
【図３】本発明の第２の実施形態にかかるネットワークシステムの構成を示すブロック図である。
【図４】図３のネットワークシステムにおける電話機への着信時の処理手順を示すシーケンス図である。
【図５】本発明の第３の実施形態にかかるネットワークシステムの構成を示すブロック図である。
【図６】図５のネットワークシステムにおけるインターホンの呼出釦の押下時の処理手順を示すシーケンス図である。
【符号の説明】
【００７５】
１００…ネットワークシステム、１０…ＴＶ放送受信装置、１１…ＴＶ放送受信部、１２…表示出力部、１３…音響出力部、１４…表示部、１５…スピーカ、１６…ネットワーク接続部、１７…操作入力部、１８…ＲＯＭ、１９…ＲＡＭ、２０…ＣＰＵ、２１…記録部、３０…電話機、４０…ＩＰネットワーク、５０…録画装置。
【図１】
2007274392.tif 000003
【図２】
2007274392.tif 000004
【図３】
2007274392.tif 000005
【図４】
2007274392.tif 000006
【図５】
2007274392.tif 000007
【図６】
2007274392.tif 000008